(57)【要約】【課題】大口径、高解像でありながらも、小型の広角単焦点レンズを提供する。【解決手段】この広角単焦点レンズは、物体側から順に、正の屈折力を有する第１レンズ群Ｇ11と、負の屈折力を有する第２レンズ群Ｇ12と、正の屈折力を有する第３レンズ群Ｇ13と、負の屈折力を有する第４レンズ群Ｇ14と、正の屈折力を有する第５レンズ群Ｇ15と、負の屈折力を有する第６レンズ群Ｇ16とが配置されて構成される。第２レンズ群Ｇ12は、前記物体側に凸面を向けた負のメニスカスレンズで構成されている。第３レンズ群Ｇ13の前記物体側面には、所定の口径を規定する開口絞りＳＴが設けられている。第４レンズ群Ｇ14は、像面ＩＭＧ側に凸面を向けた負のメニスカスレンズで構成されている。さらに、第６レンズ群Ｇ16は、近軸では負の屈折力を有し周辺にいくにしたがって正の屈折力が強くなるレンズで構成されている。【選択図】図１
2012155223.tif 000002
【特許請求の範囲】
【請求項１】
物体側から順に配置された、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、負の屈折力を有する第６レンズ群と、を備え、
前記第２レンズ群は物体側に凸面を向けた負のメニスカスレンズにより構成され、
前記第３レンズ群の近傍には開口絞りが配置されており、
前記第４レンズ群は像側に凸面を向けた負のメニスカスレンズにより構成され、
前記第６レンズ群は近軸では負の屈折力を有し周辺にいくにしたがって正の屈折力が強くなるレンズにより構成されていることを特徴とする広角単焦点レンズ。
【請求項２】
前記第１レンズ群は、物体側から順に配置された、正レンズと、負レンズとにより構成されており、前記正レンズと前記負レンズとは接合されていることを特徴とする請求項１に記載の広角単焦点レンズ。
【請求項３】
前記第５レンズ群は、物体側から順に配置された、負レンズと、正レンズとにより構成されており、前記負レンズと前記正レンズとは接合されていることを特徴とする請求項１に記載の広角単焦点レンズ。
【請求項４】
前記第１レンズ群ないし前記第３レンズ群で前群を、前記第４レンズ群ないし前記第６レンズ群で後群を構成し、
前記前群の焦点距離をＦFG、前記後群の焦点距離をＦRGとするとき、以下の条件式を満足することを特徴とする請求項１〜３のいずれか一つに記載の広角単焦点レンズ。
−０．８＜ＦFG／ＦRG＜−０．１
【発明の詳細な説明】
【技術分野】
【０００１】
この発明は、携帯電話機や小型モバイル機器に搭載されたカメラなどをはじめとする小型撮像装置に好適な小型の広角単焦点レンズに関する。
【背景技術】
【０００２】
近年、携帯電話機やデジタルカメラなどをはじめとする携帯型の撮像装置が広く普及している。そして、近年の撮像装置の小型化にともない、撮像装置に搭載される撮影レンズもより一層の小型化が要求されている。加えて、撮像装置に搭載される撮像素子の高画素化も進んでいるため、これに対応できるように撮像装置に搭載される撮影レンズに対してもさらなる高解像が求められている。そこで、このような要求を満足する小型の撮像レンズが提案されている（たとえば、特許文献１を参照。）。
【先行技術文献】
【特許文献】
【０００３】
【特許文献１】特許第３４２４０３０号公報
【発明の概要】
【発明が解決しようとする課題】
【０００４】
特許文献１に記載の撮影レンズは、レンズ枚数が少ないコンパクトな構成で高解像を達成している。しかしながら、特許文献１に記載の撮影レンズの構成で大口径化を図ろうとすると（特に、Ｆナンバが２．８以下）、球面収差とコマ収差がともに増大し解像度が著しく低下するという問題がある。
【０００５】
一般に、高解像を実現するためには、レンズ枚数を増やすなどの方法が考えられが、レンズ枚数を増やすと光学系全長も長くなる傾向にある。小型化が要求されている装置への搭載を目的とする以上、光学系全長は厳しく制限されるので、レンズ枚数を増やす場合、レンズのコバや肉厚等を薄くする必要がある。しかしながら、レンズのコバや肉厚等を薄くするのにも限界があり、レンズ枚数を増やし、かつ光学系全長を短縮することは困難である。以上の理由により、特許文献１に記載の撮影レンズでは、小型化を阻害せずに、大口径化と高解像化をともに達成することはできない。
【０００６】
この発明は、上述した従来技術による問題点を解消するため、大口径、高解像でありながらも、小型の広角単焦点レンズを提供することを目的とする。
【課題を解決するための手段】
【０００７】
上述した課題を解決し、目的を達成するため、この発明にかかる広角単焦点レンズは、物体側から順に配置された、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、負の屈折力を有する第６レンズ群と、を備え、前記第２レンズ群は物体側に凸面を向けた負のメニスカスレンズにより構成され、前記第３レンズ群の近傍には開口絞りが配置されており、前記第４レンズ群は像側に凸面を向けた負のメニスカスレンズにより構成され、前記第６レンズ群は近軸では負の屈折力を有し周辺にいくにしたがって正の屈折力が強くなるレンズにより構成されていることを特徴とする。
【０００８】
この発明によれば、大口径、高解像でありながらも、小型の広角単焦点レンズを提供することができる。
【０００９】
また、この発明にかかる広角単焦点レンズは、前記発明において、前記第１レンズ群が、物体側から順に配置された、正レンズと、負レンズとにより構成されており、前記正レンズと前記負レンズとは接合されていることを特徴とする。
【００１０】
この発明によれば、公差を緩めることができる。
【００１１】
また、この発明にかかる広角単焦点レンズは、前記発明において、前記第５レンズ群が、物体側から順に配置された、負レンズと、正レンズとにより構成されており、前記負レンズと前記正レンズとは接合されていることを特徴とする。
【００１２】
この発明によれば、公差を緩めることができる。
【００１３】
また、この発明にかかる広角単焦点レンズは、前記発明において、前記第１レンズ群ないし前記第３レンズ群で前群を、前記第４レンズ群ないし前記第６レンズ群で後群を構成し、前記前群の焦点距離をＦFG、前記後群の焦点距離をＦRGとするとき、以下の条件式を満足することを特徴とする。
−０．８＜ＦFG／ＦRG＜−０．１
【００１４】
この発明によれば、結像性能を劣化させることなく、光学系のより小型化を図ることができる。
【発明の効果】
【００１５】
この発明によれば、大口径、高解像でありながらも、小型の広角単焦点レンズを提供することができるという効果を奏する。
【図面の簡単な説明】
【００１６】
【図１】実施例１にかかる広角単焦点レンズの構成を示す光軸に沿う断面図である。
【図２】実施例１にかかる広角単焦点レンズの無限遠合焦状態における諸収差図である。
【図３】実施例１にかかる広角単焦点レンズの最至近距離合焦状態における諸収差図である。
【図４】実施例２にかかる広角単焦点レンズの構成を示す光軸に沿う断面図である。
【図５】実施例２にかかる広角単焦点レンズの無限遠合焦状態における諸収差図である。
【図６】実施例２にかかる広角単焦点レンズの最至近距離合焦状態における諸収差図である。
【図７】実施例３にかかる広角単焦点レンズの構成を示す光軸に沿う断面図である。
【図８】実施例３にかかる広角単焦点レンズの無限遠合焦状態における諸収差図である。
【図９】実施例３にかかる広角単焦点レンズの最至近距離合焦状態における諸収差図である。
【図１０】実施例４にかかる広角単焦点レンズの構成を示す光軸に沿う断面図である。
【図１１】実施例４にかかる広角単焦点レンズの無限遠合焦状態における諸収差図である。
【図１２】実施例４にかかる広角単焦点レンズの最至近距離合焦状態における諸収差図である。
【図１３】実施例５にかかる広角単焦点レンズの構成を示す光軸に沿う断面図である。
【図１４】実施例５にかかる広角単焦点レンズの無限遠合焦状態における諸収差図である。
【図１５】実施例５にかかる広角単焦点レンズの最至近距離合焦状態における諸収差図である。
【図１６】実施例６にかかる広角単焦点レンズの構成を示す光軸に沿う断面図である。
【図１７】実施例６にかかる広角単焦点レンズの無限遠合焦状態における諸収差図である。
【図１８】実施例６にかかる広角単焦点レンズの最至近距離合焦状態における諸収差図である。
【図１９】実施例７にかかる広角単焦点レンズの構成を示す光軸に沿う断面図である。
【図２０】実施例７にかかる広角単焦点レンズの無限遠合焦状態における諸収差図である。
【図２１】実施例７にかかる広角単焦点レンズの最至近距離合焦状態における諸収差図である。
【発明を実施するための形態】
【００１７】
以下、この発明にかかる広角単焦点レンズの好適な実施の形態を詳細に説明する。
【００１８】
この発明にかかる広角単焦点レンズは、物体側から順に配置された、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、負の屈折力を有する第６レンズ群と、備えて構成される。このように、正の屈折力を有する第１レンズ群、負の屈折力を有する第２レンズ群、および正の屈折力を有する第３レンズ群を備えて構成したことにより、球面収差の補正が良好になる。
【００１９】
さらに、この広角単焦点レンズでは、前記第３レンズ群の近傍、好ましくは前記第２レンズ群と前記第３レンズ群との間で前記第３レンズ群に近い位置に所定の口径を規定する開口絞りを配置する。そして、前記第２レンズ群を物体側に凸面を向けた負のメニスカスレンズで、前記第４レンズ群を像側に凸面を向けた負のメニスカスレンズで構成している。これにより、光学系のレンズ構成を前記開口絞りに対してコンセントリックにすることができ、非点収差とコマ収差を抑制して広角化を図ることが可能になる。
【００２０】
さらに、この広角単焦点レンズでは、前記第６レンズ群を近軸では負の屈折力を有し周辺にいくにしたがって正の屈折力が強くなるレンズにより構成している。これにより、像面に入射する主光線をテレセントリックに近づけることが可能になり、像面に配置される撮像素子における光線の受光効率の低下を抑制することができる。
【００２１】
この発明にかかる広角単焦点レンズでは、前記第１レンズ群ないし前記第３レンズ群で前群を構成し、前記第４レンズ群ないし前記第６レンズ群で後群を構成する。そして、前記前群を光軸に沿って像面側から物体側へ移動させることにより、無限遠合焦状態から最至近距離合焦状態までのフォーカシングを行う。このようにすることにより、レンズ群内の芯ズレによる光軸ズレを抑制することができる。また、この広角単焦点レンズとともに用いるレンズ駆動機構の簡略化を図ることができ、レンズ駆動機構の製造コストの低減化を図ることができる。なお、至近距離撮影時には、前記第３レンズ群を光軸に沿って像側から物体側へ移動させることにより、フォーカシングを行うことが可能である。また、至近距離撮影時には、前記第４レンズ群を光軸に沿って物体側から像側へ移動させることによっても、フォーカシングを行うことができる。前記第３レンズ群および前記第４レンズ群はそれぞれ１枚のレンズで構成することができるため、光学系の小型軽量化とレンズ駆動機構の簡略化を図ることが可能になる。
【００２２】
この発明にかかる広角単焦点レンズは、以上のような特徴を備えているので、大口径化を図っても高い光学性能を維持することができる。また、６群であっても各群はそれぞれ１枚のレンズで構成することができるため、光学系の小型化を図ることができる。したがって、大口径、高解像でありながらも、小型の広角単焦点レンズを提供することができる。
【００２３】
また、この発明にかかる広角単焦点レンズでは、前記第１レンズ群を、物体側から順に配置された、正レンズと、負レンズとにより構成し、前記正レンズと前記負レンズとを接合してもよい。このようにすることで、公差を緩めることができる。
【００２４】
また、この発明にかかる広角単焦点レンズでは、前記第５レンズ群を、物体側から順に配置された、負レンズと、正レンズとにより構成し、前記負レンズと前記正レンズとを接合してもよい。このように構成しても、公差を緩めることができる。
【００２５】
また、この発明にかかる広角単焦点レンズでは、前記前群の焦点距離をＦFG、前記後群の焦点距離をＦRGとするとき、次の条件式を満足することが好ましい。
（１）  −０．８＜ＦFG／ＦRG＜−０．１
【００２６】
条件式（１）は光学系全系のバックフォーカスの長さを規定するための式である。この条件式（１）で規定された範囲を満足することで、結像性能を低下させることなく、光学系全長の短縮化を図ることが可能になる。条件式（１）においてその下限を下回ると適切なバックフォーカスをとることができなくなり、結像性能の低下を招く。一方、条件式（１）においてその上限を超えるとバックフォーカスが長くなりすぎ、光学系全長が延び、光学系の小型化が阻害される。
【００２７】
なお、上記条件式（１）は、次に示す範囲を満足すると、より好ましい効果が期待できる。
（１）’  −０．６＜ＦFG／ＦRG＜−０．２
この条件式（１）’で規定する範囲を満足することにより、より光学系の小型化を達成しつつ、結像性能の向上を図ることができる。
【００２８】
以上説明したように、この発明にかかる広角単焦点レンズは、上記のような特徴を備えているので、大口径、高解像でありながらも、小型の広角単焦点レンズになる。そして、上記条件式を満足することにより、結像性能を劣化させることなく、光学系のより小型化を図ることができる。
【００２９】
以下、この発明にかかる広角単焦点レンズの実施例を図面に基づき詳細に説明する。なお、以下の実施例によりこの発明が限定されるものではない。
【実施例１】
【００３０】
図１は、実施例１にかかる広角単焦点レンズの構成を示す光軸に沿う断面図である。この広角単焦点レンズは、図示しない物体側から順に、正の屈折力を有する前群ＦＧ1と、負の屈折力を有する後群ＲＧ1とが配置されて構成される。また、後群ＲＧ1と像面ＩＭＧとの間にはカバーガラスＣＧが配置されている。このカバーガラスＣＧは必要に応じて配置されるものであり、不要な場合は省略可能である。なお、像面ＩＭＧには、ＣＣＤやＣＭＯＳなどの撮像素子の受光面が配置される。
【００３１】
前群ＦＧ1は、前記物体側から順に、正の屈折力を有する第１レンズ群Ｇ11と、負の屈折力を有する第２レンズ群Ｇ12と、正の屈折力を有する第３レンズ群Ｇ13とが配置されて構成される。また、後群ＲＧ1は、前記物体側から順に、負の屈折力を有する第４レンズ群Ｇ14と、正の屈折力を有する第５レンズ群Ｇ15と、負の屈折力を有する第６レンズ群Ｇ16とが配置されて構成される。特に、第２レンズ群Ｇ12は、前記物体側に凸面を向けた負のメニスカスレンズで構成されている。また、第３レンズ群Ｇ13の前記物体側面には、所定の口径を規定する開口絞りＳＴが設けられている。第４レンズ群Ｇ14は、像面ＩＭＧ側に凸面を向けた負のメニスカスレンズで構成されている。さらに、第６レンズ群Ｇ16は、近軸では負の屈折力を有し周辺にいくにしたがって正の屈折力が強くなるレンズで構成されている。加えて、第１レンズ群Ｇ11〜第６レンズ群Ｇ16を構成するレンズの両面には、それぞれ非球面が形成されている。
【００３２】
この広角単焦点レンズは、前群ＦＧ1を光軸に沿って像面ＩＭＧ側から前記物体側へ移動させることにより無限遠合焦状態から最至近距離合焦状態までのフォーカシングを行う。
【００３３】
以下、実施例１にかかる広角単焦点レンズに関する各種数値データを示す。
【００３４】
有効焦点距離＝5.8
有効Ｆナンバ＝2.43
画角（２ω）＝71°
【００３５】
（条件式（１）に関する数値）
前群ＦＧ1の焦点距離＝5.825
後群ＲＧ1の焦点距離＝-11.889
ＦFG／ＦRG＝-0.49
【００３６】
ｒ0＝∞（物体面）
ｄ0＝Ｄ（０）
ｒ1＝2.61（非球面）
ｄ1＝1.055    ｎｄ1＝1.61    νｄ1＝57.74
ｒ2＝9.90（非球面）
ｄ2＝0.053
ｒ3＝5.47（非球面）
ｄ3＝0.422    ｎｄ2＝1.61    νｄ2＝25.58
ｒ4＝2.23（非球面）
ｄ4＝0.401
ｒ5＝∞（非球面）
ｄ5＝0.528    ｎｄ3＝1.61    νｄ3＝57.74
ｒ6＝-4.43（非球面）
ｄ6＝Ｄ（６）
ｒ7＝-8.96（非球面）
ｄ7＝0.528    ｎｄ4＝1.61    νｄ4＝25.58
ｒ8＝-53.59（非球面）
ｄ8＝0.215
ｒ9＝∞（非球面）
ｄ9＝1.720    ｎｄ5＝1.53    νｄ5＝56.04
ｒ10＝-1.85（非球面）
ｄ10＝0.441
ｒ11＝-5.10（非球面）
ｄ11＝0.635    ｎｄ6＝1.53    νｄ6＝56.04
ｒ12＝2.03（非球面）
ｄ12＝0.470
ｒ13＝∞
ｄ13＝0.300    ｎｄ7＝1.52    νｄ7＝64.05
ｒ14＝∞
【００３７】
円錐係数（ε）および非球面係数（Ａ，Ｂ，Ｃ，Ｄ，Ｅ，Ｆ，Ｇ，Ｈ）
（第１面）
ε＝0.095，
Ａ＝0，  Ｂ＝0.0008319，
Ｃ＝0.0010786，  Ｄ＝-0.0001356，
Ｅ＝0.0000972，  Ｆ＝0.0000385，
Ｇ＝-0.0000010，  Ｈ＝-0.0000056
（第２面）
ε＝36.057，
Ａ＝0，  Ｂ＝0.117686，
Ｃ＝0.0055048，  Ｄ＝-0.0005919，
Ｅ＝-0.0020851，  Ｆ＝-0.0009435，
Ｇ＝-0.0000838，  Ｈ＝0.0002375
（第３面）
ε＝12.636，
Ａ＝0，  Ｂ＝0.0049768，
Ｃ＝0.0043563，  Ｄ＝-0.0015547，
Ｅ＝-0.0017446，  Ｆ＝-0.0025177，
Ｇ＝-0.0014687，  Ｈ＝0.0012329
（第４面）
ε＝2.985，
Ａ＝0，  Ｂ＝-0.0056283，
Ｃ＝-0.0141167，  Ｄ＝0.0215029，
Ｅ＝0.0066139，  Ｆ＝-0.0214274，
Ｇ＝-0.0299731，  Ｈ＝0.0366279
（第５面）
ε＝0，
Ａ＝0，  Ｂ＝-0.0154489，
Ｃ＝-0.0084974，  Ｄ＝0.0116203，
Ｅ＝0.0038158，  Ｆ＝-0.0146327，
Ｇ＝-0.0058728，  Ｈ＝0.0189413
（第６面）
ε＝10.404，
Ａ＝0，  Ｂ＝-0.0139355，
Ｃ＝-0.0105672，  Ｄ＝0.0056215，
Ｅ＝-0.0000930，  Ｆ＝-0.0006546，
Ｇ＝-0.0047464，  Ｈ＝0.0037252
（第７面）
ε＝4.517，
Ａ＝0，  Ｂ＝-0.0160241，
Ｃ＝0.0091181，  Ｄ＝-0.0054570，
Ｅ＝0.0014884，  Ｆ＝-0.0001627，
Ｇ＝0，  Ｈ＝0
（第８面）
ε＝0，
Ａ＝0，  Ｂ＝-0.0064163，
Ｃ＝0.0022230，  Ｄ＝-0.0003371，
Ｅ＝0，  Ｆ＝0，
Ｇ＝0，  Ｈ＝0
（第９面）
ε＝0，
Ａ＝0，  Ｂ＝0.0022992，
Ｃ＝-0.0063648，  Ｄ＝0.0008757，
Ｅ＝0，  Ｆ＝0，
Ｇ＝0，  Ｈ＝0
（第１０面）
ε＝-2.971，
Ａ＝0，  Ｂ＝0.0100417，
Ｃ＝-0.0156082，  Ｄ＝0.0044366，
Ｅ＝-0.0008352，  Ｆ＝0.0000703，
Ｇ＝0，  Ｈ＝0
（第１１面）
ε＝0，
Ａ＝0，  Ｂ＝-0.0264176，
Ｃ＝0.0019785，  Ｄ＝-0.0015495，
Ｅ＝0.0004538，  Ｆ＝-0.0000355，
Ｇ＝0，  Ｈ＝0
（第１２面）
ε＝-7.995，
Ａ＝0，  Ｂ＝-0.0184929，
Ｃ＝0.0034207，  Ｄ＝-0.0004708，
Ｅ＝0.0000311，  Ｆ＝-0.0000008，
Ｇ＝0，  Ｈ＝0
【００３８】
（各合焦状態の数値データ）
無限遠    最至近距離
Ｄ（０）    ∞        100
Ｄ（６）    0.756     1.1
【００３９】
また、図２は、実施例１にかかる広角単焦点レンズの無限遠合焦状態における諸収差図である。図３は、実施例１にかかる広角単焦点レンズの最至近距離合焦状態における諸収差図である。図中、ｄはｄ線（λ＝５８８ｎｍ）、ｇはｇ線（λ＝４３６ｎｍ）、ＦはＦ線（λ＝４８６ｎｍ）、ＣはＣ線（λ＝６５６ｎｍ）、ｅはｅ線（λ＝５４６ｎｍ）に相当する波長の収差を表す。そして、像面湾曲図における符号Ｓ，Ｍは、それぞれサジタル像面、メリディオナル像面に対する収差を表す。
【実施例２】
【００４０】
図４は、実施例２にかかる広角単焦点レンズの構成を示す光軸に沿う断面図である。この広角単焦点レンズは、図示しない物体側から順に、正の屈折力を有する前群ＦＧ2と、負の屈折力を有する後群ＲＧ2とが配置されて構成される。また、後群ＲＧ2と像面ＩＭＧとの間にはカバーガラスＣＧが配置されている。このカバーガラスＣＧは必要に応じて配置されるものであり、不要な場合は省略可能である。なお、像面ＩＭＧには、ＣＣＤやＣＭＯＳなどの撮像素子の受光面が配置される。
【００４１】
前群ＦＧ2は、前記物体側から順に、正の屈折力を有する第１レンズ群Ｇ21と、負の屈折力を有する第２レンズ群Ｇ22と、正の屈折力を有する第３レンズ群Ｇ23とが配置されて構成される。また、後群ＲＧ2は、前記物体側から順に、負の屈折力を有する第４レンズ群Ｇ24と、正の屈折力を有する第５レンズ群Ｇ25と、負の屈折力を有する第６レンズ群Ｇ26とが配置されて構成される。特に、第２レンズ群Ｇ22は、前記物体側に凸面を向けた負のメニスカスレンズで構成されている。また、第３レンズ群Ｇ23の前記物体側面には、所定の口径を規定する開口絞りＳＴが設けられている。第４レンズ群Ｇ24は、像面ＩＭＧ側に凸面を向けた負のメニスカスレンズで構成されている。さらに、第６レンズ群Ｇ26は、近軸では負の屈折力を有し周辺にいくにしたがって正の屈折力が強くなるレンズで構成されている。加えて、第１レンズ群Ｇ21〜第６レンズ群Ｇ26を構成するレンズの両面には、それぞれ非球面が形成されている。
【００４２】
この広角単焦点レンズは、前群ＦＧ2を光軸に沿って像面ＩＭＧ側から前記物体側へ移動させることにより無限遠合焦状態から最至近距離合焦状態までのフォーカシングを行う。
【００４３】
以下、実施例２にかかる広角単焦点レンズに関する各種数値データを示す。
【００４４】
有効焦点距離＝6.15
有効Ｆナンバ＝2.33
画角（２ω）＝66°
【００４５】
（条件式（１）に関する数値）
前群ＦＧ2の焦点距離＝6.855
後群ＲＧ2の焦点距離＝-29.93
ＦFG／ＦRG＝-0.23
【００４６】
ｒ0＝∞（物体面）
ｄ0＝Ｄ（０）
ｒ1＝2.71（非球面）
ｄ1＝1.055    ｎｄ1＝1.61    νｄ1＝57.74
ｒ2＝8.93（非球面）
ｄ2＝0.053
ｒ3＝7.06（非球面）
ｄ3＝0.422    ｎｄ2＝1.61    νｄ2＝25.58
ｒ4＝2.79（非球面）
ｄ4＝0.292
ｒ5＝-27.21（非球面）
ｄ5＝0.528    ｎｄ3＝1.61    νｄ3＝57.74
ｒ6＝-4.80（非球面）
ｄ6＝Ｄ（６）
ｒ7＝-255.90（非球面）
ｄ7＝0.400    ｎｄ4＝1.61    νｄ4＝25.58
ｒ8＝7.87（非球面）
ｄ8＝0.100
ｒ9＝11.66（非球面）
ｄ9＝2.100    ｎｄ5＝1.53    νｄ5＝56.04
ｒ10＝-1.57（非球面）
ｄ10＝0.441
ｒ11＝-2.91（非球面）
ｄ11＝0.650    ｎｄ6＝1.53    νｄ6＝56.04
ｒ12＝2.42（非球面）
ｄ12＝0.370
ｒ13＝∞
ｄ13＝0.3    ｎｄ7＝1.52    νｄ7＝64.05
ｒ14＝∞
【００４７】
円錐係数（ε）および非球面係数（Ａ，Ｂ，Ｃ，Ｄ，Ｅ，Ｆ，Ｇ，Ｈ）
（第１面）
ε＝0.279，
Ａ＝0，  Ｂ＝0.004166400，
Ｃ＝0.001364582，  Ｄ＝0.000061329，
Ｅ＝0.000051890，  Ｆ＝0.000027735，
Ｇ＝0.000004113，  Ｈ＝-0.000003776
（第２面）
ε＝31.944，
Ａ＝0，  Ｂ＝0.013282787，
Ｃ＝0.003061144，  Ｄ＝-0.000823095，
Ｅ＝-0.001376502，  Ｆ＝-0.000198171，
Ｇ＝0.000074725，  Ｈ＝-0.000192385
（第３面）
ε＝7.521，
Ａ＝0，  Ｂ＝-0.005900162，
Ｃ＝0.003191056，  Ｄ＝0.001994033，
Ｅ＝0.001111895，  Ｆ＝-0.001675879，
Ｇ＝-0.001909236，  Ｈ＝0.001045631
（第４面）
ε＝2.486，
Ａ＝0，  Ｂ＝-0.021005445，
Ｃ＝-0.005260323，  Ｄ＝0.018756371，
Ｅ＝0.010355476，  Ｆ＝-0.010715995，
Ｇ＝-0.026389354，  Ｈ＝0.028464605
（第５面）
ε＝0，
Ａ＝0，  Ｂ＝-0.031703947，
Ｃ＝-0.004010177，  Ｄ＝-0.001954269，
Ｅ＝0.000153913，  Ｆ＝-0.007258552，
Ｇ＝-0.003511472，  Ｈ＝0.010099053
（第６面）
ε＝10.247，
Ａ＝0，  Ｂ＝-0.019583504，
Ｃ＝-0.003740966，  Ｄ＝-0.002432898，
Ｅ＝-0.003180246，  Ｆ＝0.003782407，
Ｇ＝-0.002820486，  Ｈ＝0.000191789
（第７面）
ε＝0，
Ａ＝0，  Ｂ＝-0.020362145，
Ｃ＝0.008979454，  Ｄ＝-0.006207219，
Ｅ＝0.001697490，  Ｆ＝-0.000192213，
Ｇ＝0，  Ｈ＝0
（第８面）
ε＝0，
Ａ＝0，  Ｂ＝-0.016056764，
Ｃ＝0.000341911，  Ｄ＝-0.000043772，
Ｅ＝0，  Ｆ＝0，
Ｇ＝0，  Ｈ＝0
（第９面）
ε＝0，
Ａ＝0，  Ｂ＝-0.007155939，
Ｃ＝-0.005176019，  Ｄ＝0.000926618，
Ｅ＝0，  Ｆ＝0，
Ｇ＝0，  Ｈ＝0
（第１０面）
ε＝-1.943，
Ａ＝0，  Ｂ＝0.014272602，
Ｃ＝-0.015765073，  Ｄ＝0.004508486，
Ｅ＝-0.000807279，  Ｆ＝0.000064488，
Ｇ＝0，  Ｈ＝0
（第１１面）
ε＝0，
Ａ＝0，  Ｂ＝-0.023500283，
Ｃ＝0.005383233，  Ｄ＝-0.001839436，
Ｅ＝0.000387975，  Ｆ＝-0.000026404，
Ｇ＝0，  Ｈ＝0
（第１２面）
ε＝-13.300，
Ａ＝0，  Ｂ＝-0.019721644，
Ｃ＝0.003025290，  Ｄ＝-0.000417355，
Ｅ＝0.000028229，  Ｆ＝-0.000000744，
Ｇ＝0，  Ｈ＝0
【００４８】
（各合焦状態の数値データ）
無限遠    最至近距離
Ｄ（０）                      ∞        100
Ｄ（６）                      0.973      1.13
【００４９】
また、図５は、実施例２にかかる広角単焦点レンズの無限遠合焦状態における諸収差図である。図６は、実施例２にかかる広角単焦点レンズの最至近距離合焦状態における諸収差図である。図中、ｄはｄ線（λ＝５８８ｎｍ）、ｇはｇ線（λ＝４３６ｎｍ）、ＦはＦ線（λ＝４８６ｎｍ）、ＣはＣ線（λ＝６５６ｎｍ）、ｅはｅ線（λ＝５４６ｎｍ）に相当する波長の収差を表す。そして、像面湾曲図における符号Ｓ，Ｍは、それぞれサジタル像面、メリディオナル像面に対する収差を表す。
【実施例３】
【００５０】
図７は、実施例３にかかる広角単焦点レンズの構成を示す光軸に沿う断面図である。この広角単焦点レンズは、図示しない物体側から順に、正の屈折力を有する前群ＦＧ3と、負の屈折力を有する後群ＲＧ3とが配置されて構成される。また、後群ＲＧ3と像面ＩＭＧとの間にはカバーガラスＣＧが配置されている。このカバーガラスＣＧは必要に応じて配置されるものであり、不要な場合は省略可能である。なお、像面ＩＭＧには、ＣＣＤやＣＭＯＳなどの撮像素子の受光面が配置される。
【００５１】
前群ＦＧ3は、前記物体側から順に、正の屈折力を有する第１レンズ群Ｇ31と、負の屈折力を有する第２レンズ群Ｇ32と、正の屈折力を有する第３レンズ群Ｇ33とが配置されて構成される。また、後群ＲＧ3は、前記物体側から順に、負の屈折力を有する第４レンズ群Ｇ34と、正の屈折力を有する第５レンズ群Ｇ35と、負の屈折力を有する第６レンズ群Ｇ36とが配置されて構成される。特に、第２レンズ群Ｇ32は、前記物体側に凸面を向けた負のメニスカスレンズで構成されている。また、第３レンズ群Ｇ33の前記物体側面には、所定の口径を規定する開口絞りＳＴが設けられている。第４レンズ群Ｇ34は、像面ＩＭＧ側に凸面を向けた負のメニスカスレンズで構成されている。さらに、第６レンズ群Ｇ36は、近軸では負の屈折力を有し周辺にいくにしたがって正の屈折力が強くなるレンズで構成されている。加えて、第１レンズ群Ｇ31〜第６レンズ群Ｇ36を構成するレンズの両面には、それぞれ非球面が形成されている。
【００５２】
この広角単焦点レンズは、前群ＦＧ3を光軸に沿って像面ＩＭＧ側から前記物体側へ移動させることにより無限遠合焦状態から最至近距離合焦状態までのフォーカシングを行う。
【００５３】
以下、実施例３にかかる広角単焦点レンズに関する各種数値データを示す。
【００５４】
有効焦点距離＝6.11
有効Ｆナンバ＝2.43
画角（２ω）＝68.69°
【００５５】
（条件式（１）に関する数値）
前群ＦＧ3の焦点距離＝6.522
後群ＲＧ3の焦点距離＝-15.281
ＦFG／ＦRG＝-0.43
【００５６】
ｒ0＝∞（物体面）
ｄ0＝Ｄ（０）
ｒ1＝2.738（非球面）
ｄ1＝1.107    ｎｄ1＝1.61    νｄ1＝57.74
ｒ2＝10.533（非球面）
ｄ2＝0.056
ｒ3＝5.712（非球面）
ｄ3＝0.421    ｎｄ2＝1.61    νｄ2＝25.58
ｒ4＝2.455（非球面）
ｄ4＝0.422
ｒ5＝∞（非球面）
ｄ5＝0.541    ｎｄ3＝1.53    νｄ3＝56.04
ｒ6＝-4.634（非球面）
ｄ6＝Ｄ（６）
ｒ7＝-13.344（非球面）
ｄ7＝0.527    ｎｄ4＝1.61    νｄ4＝25.58
ｒ8＝79.538（非球面）
ｄ8＝0.193
ｒ9＝53.524（非球面）
ｄ9＝1.812    ｎｄ5＝1.53    νｄ5＝56.04
ｒ10＝-1.932（非球面）
ｄ10＝0.505
ｒ11＝-5.719（非球面）
ｄ11＝0.715    ｎｄ6＝1.53    νｄ6＝56.04
ｒ12＝2.023（非球面）
ｄ12＝0.390
ｒ13＝∞
ｄ13＝0.3    ｎｄ7＝1.52    νｄ7＝64.05
ｒ14＝∞
【００５７】
円錐係数（ε）および非球面係数（Ａ，Ｂ，Ｃ，Ｄ，Ｅ，Ｆ，Ｇ，Ｈ）
（第１面）
ε＝0.121，
Ａ＝0，  Ｂ＝0.0010275，
Ｃ＝0.0008985，  Ｄ＝-8.2537459，
Ｅ＝6.4491000，  Ｆ＝2.2820440，
Ｇ＝-2.5301124，  Ｈ＝-2.5459249
（第２面）
ε＝35.995，
Ａ＝0，  Ｂ＝0.0099516，
Ｃ＝0.0042394，  Ｄ＝-0.0003814，
Ｅ＝-0.0012842，  Ｆ＝-0.0005198，
Ｇ＝-3.5438828，  Ｈ＝0.0001130
（第３面）
ε＝12.642，
Ａ＝0，  Ｂ＝0.0043239，
Ｃ＝0.0033679，  Ｄ＝-0.0011472，
Ｅ＝-0.0011501，  Ｆ＝-0.0014470，
Ｇ＝-0.0007429，  Ｈ＝0.0005928
（第４面）
ε＝3.042，
Ａ＝0，  Ｂ＝-0.0034599，
Ｃ＝-0.0098911，  Ｄ＝0.0149039，
Ｅ＝0.0033314，  Ｆ＝-0.0130440，
Ｇ＝-0.0155655，  Ｈ＝0.0177541
（第５面）
ε＝0，
Ａ＝0，  Ｂ＝-0.0139354，
Ｃ＝-0.0065543，  Ｄ＝0.0081614，
Ｅ＝0.0020669，  Ｆ＝-0.0086246，
Ｇ＝-0.0032424，  Ｈ＝0.0088306
（第６面）
ε＝10.656，
Ａ＝0，  Ｂ＝-0.0126008，
Ｃ＝-0.0091307，  Ｄ＝0.0038975，
Ｅ＝-0.0002498，  Ｆ＝-0.0005058，
Ｇ＝-0.0025426，  Ｈ＝0.0016185
（第７面）
ε＝-5.559，
Ａ＝0，  Ｂ＝-0.0127012，
Ｃ＝0.0072545，  Ｄ＝-0.0038008，
Ｅ＝0.0009218，  Ｆ＝-9.3800285，
Ｇ＝0，  Ｈ＝0
（第８面）
ε＝0，
Ａ＝0，  Ｂ＝-0.0058734，
Ｃ＝0.0016693，  Ｄ＝-0.0002328，
Ｅ＝0，  Ｆ＝0，
Ｇ＝0，  Ｈ＝0
（第９面）
ε＝0，
Ａ＝0，  Ｂ＝0.0021185，
Ｃ＝-0.0048681，  Ｄ＝0.0006093，
Ｅ＝0，  Ｆ＝0，
Ｇ＝0，  Ｈ＝0
（第１０面）
ε＝-2.899，
Ａ＝0，  Ｂ＝0.0092267，
Ｃ＝-0.0119326，  Ｄ＝0.0031048，
Ｅ＝-0.0005238，  Ｆ＝3.9853439，
Ｇ＝0，  Ｈ＝0
（第１１面）
ε＝0，
Ａ＝0，  Ｂ＝-0.0224193，
Ｃ＝0.0015359，  Ｄ＝-0.0010697，
Ｅ＝0.0002859，  Ｆ＝-2.0303169，
Ｇ＝0，  Ｈ＝0
（第１２面）
ε＝-7.518，
Ａ＝0，  Ｂ＝-0.0155691，
Ｃ＝0.0027003，  Ｄ＝-0.0003269，
Ｅ＝1.9454919，  Ｆ＝-4.7913295，
Ｇ＝0，  Ｈ＝0
【００５８】
（各合焦状態の数値データ）
無限遠    最至近距離
Ｄ（０）                      ∞        105
Ｄ（６）                      0.820      1.242
【００５９】
また、図８は、実施例３にかかる広角単焦点レンズの無限遠合焦状態における諸収差図である。図９は、実施例３にかかる広角単焦点レンズの最至近距離合焦状態における諸収差図である。図中、ｄはｄ線（λ＝５８８ｎｍ）、ｇはｇ線（λ＝４３６ｎｍ）、ＦはＦ線（λ＝４８６ｎｍ）、ＣはＣ線（λ＝６５６ｎｍ）、ｅはｅ線（λ＝５４６ｎｍ）に相当する波長の収差を表す。そして、像面湾曲図における符号Ｓ，Ｍは、それぞれサジタル像面、メリディオナル像面に対する収差を表す。
【実施例４】
【００６０】
図１０は、実施例４にかかる広角単焦点レンズの構成を示す光軸に沿う断面図である。この広角単焦点レンズは、図示しない物体側から順に、正の屈折力を有する前群ＦＧ4と、負の屈折力を有する後群ＲＧ4とが配置されて構成される。また、後群ＲＧ4と像面ＩＭＧとの間にはカバーガラスＣＧが配置されている。このカバーガラスＣＧは必要に応じて配置されるものであり、不要な場合は省略可能である。なお、像面ＩＭＧには、ＣＣＤやＣＭＯＳなどの撮像素子の受光面が配置される。
【００６１】
前群ＦＧ4は、前記物体側から順に、正の屈折力を有する第１レンズ群Ｇ41と、負の屈折力を有する第２レンズ群Ｇ42と、正の屈折力を有する第３レンズ群Ｇ43とが配置されて構成される。また、後群ＲＧ4は、前記物体側から順に、負の屈折力を有する第４レンズ群Ｇ44と、正の屈折力を有する第５レンズ群Ｇ45と、負の屈折力を有する第６レンズ群Ｇ46とが配置されて構成される。特に、第２レンズ群Ｇ42は、前記物体側に凸面を向けた負のメニスカスレンズで構成されている。また、第２レンズ群Ｇ42と第３レンズ群Ｇ43との間には、所定の口径を規定する開口絞りＳＴが配置されている。第４レンズ群Ｇ44は、像面ＩＭＧ側に凹面を向けた負のメニスカスレンズで構成されている。さらに、第６レンズ群Ｇ46は、近軸では負の屈折力を有し周辺にいくにしたがって正の屈折力が強くなるレンズで構成されている。加えて、第１レンズ群Ｇ41、第４レンズ群Ｇ44、および第６レンズ群Ｇ46を構成するレンズの両面には、それぞれ非球面が形成されている。
【００６２】
この広角単焦点レンズは、至近距離撮影時に、第４レンズ群Ｇ44を光軸に沿って前記物体側から像面ＩＭＧ側へ移動させることによって、フォーカシングを行う。
【００６３】
以下、実施例４にかかる広角単焦点レンズに関する各種数値データを示す。
【００６４】
有効焦点距離＝6.15
有効Ｆナンバ＝2.35
画角（２ω）＝66.0°
【００６５】
（条件式（１）に関する数値）
前群ＦＧ4の焦点距離＝6.357
後群ＲＧ4の焦点距離＝-16.478
ＦFG／ＦRG＝-0.39
【００６６】
ｒ0＝∞（物体面）
ｄ0＝Ｄ（０）
ｒ1＝3.155872（非球面）
ｄ1＝1.055    ｎｄ1＝1.61    νｄ1＝57.74
ｒ2＝-189.0417（非球面）
ｄ2＝0.053
ｒ3＝10.37918
ｄ3＝0.422    ｎｄ2＝1.61    νｄ2＝25.58
ｒ4＝3.653383
ｄ4＝0.350
ｒ5＝∞（開口絞り）
ｄ5＝2.020
ｒ6＝-3.881578
ｄ6＝0.528    ｎｄ3＝1.61    νｄ3＝57.74
ｒ7＝-2.883527
ｄ7＝Ｄ（７）
ｒ8＝7.831414（非球面）
ｄ8＝0.400    ｎｄ4＝1.61    νｄ4＝25.58
ｒ9＝3.971452（非球面）
ｄ9＝Ｄ（９）
ｒ10＝9.671377
ｄ10＝2.137    ｎｄ5＝1.53    νｄ5＝56.04
ｒ11＝-2.432506
ｄ11＝0.641
ｒ12＝-3.115581（非球面）
ｄ12＝0.650    ｎｄ6＝1.53    νｄ6＝56.04
ｒ13＝4.067546（非球面）
ｄ13＝0.370
ｒ14＝∞
ｄ14＝0.300    ｎｄ7＝1.52    νｄ7＝64.05
ｒ15＝∞
【００６７】
円錐係数（ε）および非球面係数（Ａ，Ｂ，Ｃ，Ｄ，Ｅ，Ｆ，Ｇ，Ｈ）
（第１面）
ε＝0.236，
Ａ＝0，  Ｂ＝0.002898563，
Ｃ＝0.000241047，  Ｄ＝0.000233064，
Ｅ＝0.000326713，  Ｆ＝-0.00009417，
Ｇ＝-0.00000808，  Ｈ＝0.00001016
（第２面）
ε＝0，
Ａ＝0，  Ｂ＝0.010300496，
Ｃ＝0.006230681，  Ｄ＝-0.003655606，
Ｅ＝0.001369205，  Ｆ＝0.00050582，
Ｇ＝-0.00063634，  Ｈ＝0.000256686
（第８面）
ε＝0，
Ａ＝0，  Ｂ＝-0.032140686，
Ｃ＝0.005818596，  Ｄ＝-0.000626196，
Ｅ＝0.000213401，  Ｆ＝-3.63×10-5，
Ｇ＝0，  Ｈ＝0
（第９面）
ε＝0，
Ａ＝0，  Ｂ＝-0.030724326，
Ｃ＝0.005287555，  Ｄ＝-0.000349702，
Ｅ＝0，  Ｆ＝0，
Ｇ＝0，  Ｈ＝0
（第１２面）
ε＝0，
Ａ＝0，  Ｂ＝-0.054153092，
Ｃ＝0.01730646，  Ｄ＝-0.002970683，
Ｅ＝0.00027502，  Ｆ＝-0.00001095，
Ｇ＝0，  Ｈ＝0
（第１３面）
ε＝-19.563，
Ａ＝0，  Ｂ＝-0.022094069，
Ｃ＝0.003951536，  Ｄ＝-0.000455292，
Ｅ＝0.000023940，  Ｆ＝-0.000000498，
Ｇ＝0，  Ｈ＝0
【００６８】
（各合焦状態の数値データ）
無限遠    最至近距離
Ｄ（０）                      ∞        300
Ｄ（７）                      0.356      0.611
Ｄ（９）                      0.401      0.15
【００６９】
また、図１１は、実施例４にかかる広角単焦点レンズの無限遠合焦状態における諸収差図である。図１２は、実施例４にかかる広角単焦点レンズの最至近距離合焦状態における諸収差図である。図中、ｄはｄ線（λ＝５８８ｎｍ）、ｇはｇ線（λ＝４３６ｎｍ）、ＦはＦ線（λ＝４８６ｎｍ）、ＣはＣ線（λ＝６５６ｎｍ）、ｅはｅ線（λ＝５４６ｎｍ）に相当する波長の収差を表す。そして、像面湾曲図における符号Ｓ，Ｍは、それぞれサジタル像面、メリディオナル像面に対する収差を表す。
【実施例５】
【００７０】
図１３は、実施例５にかかる広角単焦点レンズの構成を示す光軸に沿う断面図である。この広角単焦点レンズは、図示しない物体側から順に、正の屈折力を有する前群ＦＧ5と、負の屈折力を有する後群ＲＧ5とが配置されて構成される。また、後群ＲＧ5と像面ＩＭＧとの間にはカバーガラスＣＧが配置されている。このカバーガラスＣＧは必要に応じて配置されるものであり、不要な場合は省略可能である。なお、像面ＩＭＧには、ＣＣＤやＣＭＯＳなどの撮像素子の受光面が配置される。
【００７１】
前群ＦＧ5は、前記物体側から順に、正の屈折力を有する第１レンズ群Ｇ51と、負の屈折力を有する第２レンズ群Ｇ52と、正の屈折力を有する第３レンズ群Ｇ53とが配置されて構成される。また、後群ＲＧ5は、前記物体側から順に、負の屈折力を有する第４レンズ群Ｇ54と、正の屈折力を有する第５レンズ群Ｇ55と、負の屈折力を有する第６レンズ群Ｇ56とが配置されて構成される。特に、第２レンズ群Ｇ52は、前記物体側に凸面を向けた負のメニスカスレンズで構成されている。また、第２レンズ群Ｇ52と第３レンズ群Ｇ53との間には、所定の口径を規定する開口絞りＳＴが配置されている。第４レンズ群Ｇ54は、像面ＩＭＧ側に凹面を向けた負のメニスカスレンズで構成されている。さらに、第６レンズ群Ｇ56は、近軸では負の屈折力を有し周辺にいくにしたがって正の屈折力が強くなるレンズで構成されている。加えて、第１レンズ群Ｇ51、第４レンズ群Ｇ54、および第６レンズ群Ｇ56を構成するレンズの両面には、それぞれ非球面が形成されている。
【００７２】
この広角単焦点レンズは、至近距離撮影時に、第３レンズ群Ｇ53を光軸に沿って像面ＩＭＧ側から前記物体側へ移動させることによって、フォーカシングを行う。
【００７３】
以下、実施例５にかかる広角単焦点レンズに関する各種数値データを示す。
【００７４】
有効焦点距離＝6.15
有効Ｆナンバ＝2.32
画角（２ω）＝66.07°
【００７５】
（条件式（１）に関する数値）
前群ＦＧ5の焦点距離＝6.322
後群ＲＧ5の焦点距離＝-11.896
ＦFG／ＦRG＝-0.53
【００７６】
ｒ0＝∞（物体面）
ｄ0＝Ｄ（０）
ｒ1＝3.666（非球面）
ｄ1＝1.055    ｎｄ1＝1.61    νｄ1＝57.74
ｒ2＝-49.415（非球面）
ｄ2＝0.053
ｒ3＝13.931
ｄ3＝0.422    ｎｄ2＝1.61    νｄ2＝25.58
ｒ4＝4.673
ｄ4＝0.350
ｒ5＝∞（開口絞り）
ｄ5＝Ｄ（５）
ｒ6＝-6.052
ｄ6＝0.528    ｎｄ3＝1.61    νｄ3＝57.74
ｒ7＝-3.503
ｄ7＝Ｄ（７）
ｒ8＝8.342（非球面）
ｄ8＝0.400    ｎｄ4＝1.61    νｄ4＝25.58
ｒ9＝3.806（非球面）
ｄ9＝0.319
ｒ10＝8.670
ｄ10＝2.100    ｎｄ5＝1.53    νｄ5＝56.04
ｒ11＝-2.630
ｄ11＝0.735
ｒ12＝-3.096（非球面）
ｄ12＝0.650    ｎｄ6＝1.53    νｄ6＝56.04
ｒ13＝4.087（非球面）
ｄ13＝0.370
ｒ14＝∞
ｄ14＝0.3    ｎｄ7＝1.52    νｄ7＝64.05
ｒ15＝∞
【００７７】
円錐係数（ε）および非球面係数（Ａ，Ｂ，Ｃ，Ｄ，Ｅ，Ｆ，Ｇ，Ｈ）
（第１面）
ε＝0.768，
Ａ＝0，  Ｂ＝0.0003160，
Ｃ＝0.0006360，  Ｄ＝0.0002688，
Ｅ＝0.0001487，  Ｆ＝0，
Ｇ＝0，  Ｈ＝0
（第２面）
ε＝0，
Ａ＝0，  Ｂ＝0.0070579，
Ｃ＝0.0058617，  Ｄ＝-0.0047838，
Ｅ＝0.0017595，  Ｆ＝0.8203812，
Ｇ＝0，  Ｈ＝0
（第８面）
ε＝0，
Ａ＝0，  Ｂ＝-0.0272087，
Ｃ＝0.0019881，  Ｄ＝0.0022428，
Ｅ＝0.0006898，  Ｆ＝6.2946240，
Ｇ＝0，  Ｈ＝0
（第９面）
ε＝0，
Ａ＝0，  Ｂ＝-0.0295428，
Ｃ＝0.0059141，  Ｄ＝0.0004278，
Ｅ＝0，  Ｆ＝0，
Ｇ＝0，  Ｈ＝0
（第１２面）
ε＝0，
Ａ＝0，  Ｂ＝-0.0610958，
Ｃ＝0.0181050，  Ｄ＝-0.0030881，
Ｅ＝0.0002814，  Ｆ＝0.6663957，
Ｇ＝0，  Ｈ＝0
（第１３面）
ε＝-18.985，
Ａ＝0，  Ｂ＝-0.0234304，
Ｃ＝0.0040114，  Ｄ＝0.0004650，
Ｅ＝0.5905764，  Ｆ＝0.5504143，
Ｇ＝0，  Ｈ＝0
【００７８】
（各合焦状態の数値データ）
無限遠    最至近距離
Ｄ（０）                      ∞        300
Ｄ（５）                      0.697      0.523
Ｄ（７）                      0.11       0.259
【００７９】
また、図１４は、実施例５にかかる広角単焦点レンズの無限遠合焦状態における諸収差図である。図１５は、実施例５にかかる広角単焦点レンズの最至近距離合焦状態における諸収差図である。図中、ｄはｄ線（λ＝５８８ｎｍ）、ｇはｇ線（λ＝４３６ｎｍ）、ＦはＦ線（λ＝４８６ｎｍ）、ＣはＣ線（λ＝６５６ｎｍ）、ｅはｅ線（λ＝５４６ｎｍ）に相当する波長の収差を表す。そして、像面湾曲図における符号Ｓ，Ｍは、それぞれサジタル像面、メリディオナル像面に対する収差を表す。
【実施例６】
【００８０】
図１６は、実施例６にかかる広角単焦点レンズの構成を示す光軸に沿う断面図である。この広角単焦点レンズは、図示しない物体側から順に、正の屈折力を有する前群ＦＧ6と、負の屈折力を有する後群ＲＧ6とが配置されて構成される。また、後群ＲＧ6と像面ＩＭＧとの間にはカバーガラスＣＧが配置されている。このカバーガラスＣＧは必要に応じて配置されるものであり、不要な場合は省略可能である。なお、像面ＩＭＧには、ＣＣＤやＣＭＯＳなどの撮像素子の受光面が配置される。
【００８１】
前群ＦＧ6は、前記物体側から順に、正の屈折力を有する第１レンズ群Ｇ61と、負の屈折力を有する第２レンズ群Ｇ62と、正の屈折力を有する第３レンズ群Ｇ63とが配置されて構成される。また、後群ＲＧ6は、前記物体側から順に、負の屈折力を有する第４レンズ群Ｇ64と、正の屈折力を有する第５レンズ群Ｇ65と、負の屈折力を有する第６レンズ群Ｇ66とが配置されて構成される。特に、第１レンズ群Ｇ61は、正レンズＬ611と負レンズＬ612とにより構成されている。そして、正レンズＬ611と負レンズＬ612とは接合されている。また、第２レンズ群Ｇ62は、前記物体側に凸面を向けた負のメニスカスレンズで構成されている。第２レンズ群Ｇ62と第３レンズ群Ｇ63との間には、所定の口径を規定する開口絞りＳＴが配置されている。第４レンズ群Ｇ64は、像面ＩＭＧ側に凸面を向けた負のメニスカスレンズで構成されている。さらに、第６レンズ群Ｇ66は、近軸では負の屈折力を有し周辺にいくにしたがって正の屈折力が強くなるレンズで構成されている。加えて、正レンズＬ611の前記物体側面、負レンズＬ612の像面ＩＭＧ側面には、それぞれ非球面が形成されている。第４レンズ群Ｇ64、第６レンズ群Ｇ66を構成するレンズの両面にも、それぞれ非球面が形成されている。
【００８２】
この広角単焦点レンズは、至近距離撮影時に、第４レンズ群Ｇ64を光軸に沿って前記物体側から像面ＩＭＧ側へ移動させることによって、フォーカシングを行う。
【００８３】
以下、実施例６にかかる広角単焦点レンズに関する各種数値データを示す。
【００８４】
有効焦点距離＝6.15
有効Ｆナンバ＝2.09
画角（２ω）＝66.0°
【００８５】
（条件式（１）に関する数値）
前群ＦＧ6の焦点距離＝6.215
後群ＲＧ6の焦点距離＝-13.698
ＦFG／ＦRG＝-0.45
【００８６】
ｒ0＝∞（物体面）
ｄ0＝Ｄ（０）
ｒ1＝3.588（非球面）
ｄ1＝0.833    ｎｄ1＝1.61    νｄ1＝57.74
ｒ2＝-12.421
ｄ2＝0.400    ｎｄ2＝1.48    νｄ2＝29.78
ｒ3＝9.808（非球面）
ｄ3＝0.053
ｒ4＝2.686
ｄ4＝0.422    ｎｄ3＝1.61    νｄ3＝25.58
ｒ5＝2.237
ｄ5＝0.350
ｒ6＝∞（開口絞り）
ｄ6＝0.350
ｒ7＝-6.295
ｄ7＝0.528    ｎｄ4＝1.61    νｄ4＝57.74
ｒ8＝-3.862
ｄ8＝Ｄ（８）
ｒ9＝8.547（非球面）
ｄ9＝0.4    ｎｄ5＝1.61    νｄ5＝25.58
ｒ10＝3.968（非球面）
ｄ10＝Ｄ（１０）
ｒ11＝9.691
ｄ11＝2.182    ｎｄ6＝1.53    νｄ6＝56.04
ｒ12＝-2.496
ｄ12＝0.512
ｒ13＝-3.412（非球面）
ｄ13＝0.650    ｎｄ7＝1.53    νｄ7＝56.04
ｒ14＝3.985（非球面）
ｄ14＝0.370
ｒ15＝∞
ｄ15＝0.300    ｎｄ8＝1.52    νｄ8＝64.05
ｒ16＝∞
【００８７】
円錐係数（ε）および非球面係数（Ａ，Ｂ，Ｃ，Ｄ，Ｅ，Ｆ，Ｇ，Ｈ）
（第１面）
ε＝0.041，
Ａ＝0，  Ｂ＝0.000461025，
Ｃ＝-0.000707815，  Ｄ＝0.000113722，
Ｅ＝0.000271625，  Ｆ＝-9.11×10-5，
Ｇ＝-1.19×10-5，  Ｈ＝5.55×10-6
（第３面）
ε＝0，
Ａ＝0，  Ｂ＝0.001924794，
Ｃ＝0.005127579，  Ｄ＝-0.004510602，
Ｅ＝0.001342179，  Ｆ＝0.000859442，
Ｇ＝-0.000570368，  Ｈ＝7.75×10-5
（第９面）
ε＝0，
Ａ＝0，  Ｂ＝-0.032928644，
Ｃ＝0.005531694，  Ｄ＝-0.000615865，
Ｅ＝0.000222868，  Ｆ＝-3.86×10-5，
Ｇ＝0，  Ｈ＝0
（第１０面）
ε＝0，
Ａ＝0，  Ｂ＝-0.031219827，
Ｃ＝0.005134718，  Ｄ＝-0.000351388，
Ｅ＝0，  Ｆ＝0，
Ｇ＝0，  Ｈ＝0
（第１３面）
ε＝0，
Ａ＝0，  Ｂ＝-0.055338883，
Ｃ＝0.017326667，  Ｄ＝-0.002982528，
Ｅ＝0.00027235，  Ｆ＝-1.01×10-5，
Ｇ＝0，  Ｈ＝0
（第１４面）
ε＝-20.930，
Ａ＝0，  Ｂ＝-0.021771443，
Ｃ＝0.003818583，  Ｄ＝-0.000452577，
Ｅ＝2.49×10-5，  Ｆ＝-5.26×10-7，
Ｇ＝0，  Ｈ＝0
【００８８】
（各合焦状態の数値データ）
無限遠    最至近距離
Ｄ（０）                      ∞        300
Ｄ（８）                      0.189      0.423
Ｄ（１０）                    0.366      0.15
【００８９】
また、図１７は、実施例６にかかる広角単焦点レンズの無限遠合焦状態における諸収差図である。図１８は、実施例６にかかる広角単焦点レンズの最至近距離合焦状態における諸収差図である。図中、ｄはｄ線（λ＝５８８ｎｍ）、ｇはｇ線（λ＝４３６ｎｍ）、ＦはＦ線（λ＝４８６ｎｍ）、ＣはＣ線（λ＝６５６ｎｍ）、ｅはｅ線（λ＝５４６ｎｍ）に相当する波長の収差を表す。そして、像面湾曲図における符号Ｓ，Ｍは、それぞれサジタル像面、メリディオナル像面に対する収差を表す。
【実施例７】
【００９０】
図１９は、実施例７にかかる広角単焦点レンズの構成を示す光軸に沿う断面図である。この広角単焦点レンズは、図示しない物体側から順に、正の屈折力を有する前群ＦＧ7と、負の屈折力を有する後群ＲＧ7とが配置されて構成される。また、後群ＲＧ7と像面ＩＭＧとの間にはカバーガラスＣＧが配置されている。このカバーガラスＣＧは必要に応じて配置されるものであり、不要な場合は省略可能である。なお、像面ＩＭＧには、ＣＣＤやＣＭＯＳなどの撮像素子の受光面が配置される。
【００９１】
前群ＦＧ7は、前記物体側から順に、正の屈折力を有する第１レンズ群Ｇ71と、負の屈折力を有する第２レンズ群Ｇ72と、正の屈折力を有する第３レンズ群Ｇ73とが配置されて構成される。また、後群ＲＧ7は、前記物体側から順に、負の屈折力を有する第４レンズ群Ｇ74と、正の屈折力を有する第５レンズ群Ｇ75と、負の屈折力を有する第６レンズ群Ｇ76とが配置されて構成される。特に、第２レンズ群Ｇ72は、前記物体側に凸面を向けた負のメニスカスレンズで構成されている。また、第２レンズ群Ｇ72と第３レンズ群Ｇ73との間には、所定の口径を規定する開口絞りＳＴが配置されている。第４レンズ群Ｇ74は、像面ＩＭＧ側に凹面を向けた負のメニスカスレンズで構成されている。第５レンズ群Ｇ75は、前記物体側から順に、負レンズＬ751、正レンズＬ752が配置されて構成されている。そして、負レンズＬ751と正レンズＬ752とは接合されている。さらに、第６レンズ群Ｇ76は、近軸では負の屈折力を有し周辺にいくにしたがって正の屈折力が強くなるレンズで構成されている。加えて、第１レンズ群Ｇ71、第４レンズ群Ｇ74、および第６レンズ群Ｇ76を構成するレンズの両面には、それぞれ非球面が形成されている。
【００９２】
この広角単焦点レンズは、近距離撮影時に、第４レンズ群Ｇ74を光軸に沿って前記物体側から像面ＩＭＧ側へ移動させることによって、フォーカシングを行う。
【００９３】
以下、実施例７にかかる広角単焦点レンズに関する各種数値データを示す。
【００９４】
有効焦点距離＝6.15
有効Ｆナンバ＝2.35
画角（２ω）＝66.0°
【００９５】
（条件式（１）に関する数値）
前群ＦＧ7の焦点距離＝6.553
後群ＲＧ7の焦点距離＝-16.436
ＦFG／ＦRG＝-0.40
【００９６】
ｒ0＝∞（物体面）
ｄ0＝Ｄ（０）
ｒ1＝3.16（非球面）
ｄ1＝1.055    ｎｄ1＝1.61    νｄ1＝57.74
ｒ2＝-450.24（非球面）
ｄ2＝0.053
ｒ3＝10.72
ｄ3＝0.422    ｎｄ2＝1.61    νｄ2＝25.58
ｒ4＝3.77
ｄ4＝0.350
ｒ5＝∞（開口絞り）
ｄ5＝0.350
ｒ6＝-3.87
ｄ6＝0.528    ｎｄ3＝1.61    νｄ3＝57.74
ｒ7＝-2.88
ｄ7＝Ｄ（７）
ｒ8＝7.58（非球面）
ｄ8＝0.400    ｎｄ4＝1.61    νｄ4＝25.58
ｒ9＝3.96（非球面）
ｄ9＝Ｄ（９）
ｒ10＝10.39
ｄ10＝0.370    ｎｄ5＝1.53    νｄ5＝56.04
ｒ11＝7.22
ｄ11＝2.067    ｎｄ6＝1.56    νｄ6＝55.41
ｒ12＝-2.50
ｄ12＝0.581
ｒ13＝-3.16（非球面）
ｄ13＝0.650    ｎｄ7＝1.53    νｄ7＝56.04
ｒ14＝4.04（非球面）
ｄ14＝0.370
ｒ15＝∞
ｄ15＝0.300    ｎｄ8＝1.52    νｄ8＝64.05
ｒ16＝∞
【００９７】
円錐係数（ε）および非球面係数（Ａ，Ｂ，Ｃ，Ｄ，Ｅ，Ｆ，Ｇ，Ｈ）
（第１面）
ε＝0.25655，
Ａ＝0，  Ｂ＝0.00310633，
Ｃ＝0.000256948，  Ｄ＝0.000227265，
Ｅ＝0.000327591，  Ｆ＝-9.36×10-5，
Ｇ＝-7.98×10-6，  Ｈ＝1.01×10-5
（第２面）
ε＝0，
Ａ＝0，  Ｂ＝0.010356627，
Ｃ＝0.006271567，  Ｄ＝-0.00365699，
Ｅ＝0.001369422，  Ｆ＝0.000509763，
Ｇ＝-0.00063708，  Ｈ＝0.000256754
（第８面）
ε＝0，
Ａ＝0，  Ｂ＝-0.032087351，
Ｃ＝0.005749016，  Ｄ＝-0.000612803，
Ｅ＝0.000219741，  Ｆ＝-3.88×10-5，
Ｇ＝0，  Ｈ＝0
（第９面）
ε＝0，
Ａ＝0，  Ｂ＝-0.030717467，
Ｃ＝0.005298854，  Ｄ＝-0.0003543，
Ｅ＝0，  Ｆ＝0，
Ｇ＝0，  Ｈ＝0
（第１３面）
ε＝0，
Ａ＝0，  Ｂ＝-0.053985155，
Ｃ＝0.017343657，  Ｄ＝-0.00296814，
Ｅ＝0.000275293，  Ｆ＝-1.09×10-5，
Ｇ＝0，  Ｈ＝0
（第１４面）
ε＝-19.68418，
Ａ＝0，  Ｂ＝-0.021651397，
Ｃ＝0.003956446，  Ｄ＝-0.000454342，
Ｅ＝2.39×10-5，  Ｆ＝-4.96×10-7，
Ｇ＝0，  Ｈ＝0
【００９８】
（各合焦状態の数値データ）
無限遠    最至近距離
Ｄ（０）                      ∞        300
Ｄ（７）                      0.310      0.556
Ｄ（９）                      0.40       0.15
【００９９】
また、図２０は、実施例７にかかる広角単焦点レンズの無限遠合焦状態における諸収差図である。図２１は、実施例７にかかる広角単焦点レンズの最至近距離合焦状態における諸収差図である。図中、ｄはｄ線（λ＝５８８ｎｍ）、ｇはｇ線（λ＝４３６ｎｍ）、ＦはＦ線（λ＝４８６ｎｍ）、ＣはＣ線（λ＝６５６ｎｍ）、ｅはｅ線（λ＝５４６ｎｍ）に相当する波長の収差を表す。そして、像面湾曲図における符号Ｓ，Ｍは、それぞれサジタル像面、メリディオナル像面に対する収差を表す。
【０１００】
なお、上記数値データにおいて、ｒ1，ｒ2，・・・・は各レンズなどの曲率半径、ｄ1，ｄ2，・・・・は各レンズなどの肉厚またはそれらの面間隔、ｎｄ1，ｎｄ2，・・・・は各レンズなどに対するｄ線の屈折率、νｄ1，νｄ2，・・・・は各レンズなどに対するｄ線のアッベ数を示している。
【０１０１】
また、上記各非球面形状は、光軸方向にＸ軸、光軸からの高さをＹとし、光の進行方向を正とするとき、以下に示す式により表される。
【０１０２】
【数１】
2012155223.tif 000003
【０１０３】
ただし、Ｒは近軸曲率半径、εは円錐係数、Ａ，Ｂ，Ｃ，Ｄ，Ｅ，Ｆ，Ｇ，Ｈはそれぞれ２次，４次，６次，８次，１０次，１２次，１４次，１６次の非球面係数である。
【０１０４】
以上説明したように、上記各実施例の広角単焦点レンズは、前群を、正の屈折力を有する第１レンズ群、負の屈折力を有する第２レンズ群、および正の屈折力を有する第３レンズ群を備えて構成したことにより、球面収差の補正が良好になる。さらに、前記第３レンズ群の近傍に所定の口径を規定する開口絞りを配置し、前記第２レンズ群を物体側に凸面を向けた負のメニスカスレンズで、前記第４レンズ群を像側に凸面を向けた負のメニスカスレンズで構成している。これにより、光学系のレンズ構成を前記開口絞りに対してコンセントリックにすることができ、非点収差とコマ収差を抑制して広角化を図ることが可能になる。さらに、前記第６レンズ群を近軸では負の屈折力を有し周辺にいくにしたがって正の屈折力が強くなるレンズにより構成している。これにより、像面に入射する主光線をテレセントリックに近づけることが可能になり、像面に配置される撮像素子における光線の受光効率の低下を抑制することができる。
【０１０５】
上記各実施例の広角単焦点レンズは、以上のような特徴を備えているので、大口径化を図っても高い光学性能を維持することができる。さらに、上記条件式を満足することで、結像性能を劣化させることなく、光学系のより小型化を図ることができる。また、上記各実施例の広角単焦点レンズは、少ないレンズで構成できることも、光学系の小型化が可能な要因の一つである。したがって、大口径、高解像でありながらも、小型の広角単焦点レンズを提供することができる。さらに、上記各実施例の広角単焦点レンズは、適宜非球面が形成されたレンズや接合レンズを用いているため、少ないレンズ枚数で、良好な光学性能を維持することができる。
【産業上の利用可能性】
【０１０６】
以上のように、この発明にかかる広角単焦点レンズは、撮像素子が搭載された小型携帯型撮像装置に有用であり、特に、大口径、高解像が要求される装置に最適である。
【符号の説明】
【０１０７】
ＦＧ1，ＦＧ2，ＦＧ3，ＦＧ4，ＦＧ5，ＦＧ6，ＦＧ7  前群
ＲＧ1，ＲＧ2，ＲＧ3，ＲＧ4，ＲＧ5，ＲＧ6，ＲＧ7  後群
Ｇ11，Ｇ21，Ｇ31，Ｇ41，Ｇ51，Ｇ61，Ｇ71  第１レンズ群
Ｇ12，Ｇ22，Ｇ32，Ｇ42，Ｇ52，Ｇ62，Ｇ72  第２レンズ群
Ｇ13，Ｇ23，Ｇ33，Ｇ43，Ｇ53，Ｇ63，Ｇ73  第３レンズ群
Ｇ14，Ｇ24，Ｇ34，Ｇ44，Ｇ54，Ｇ64，Ｇ74  第４レンズ群
Ｇ15，Ｇ25，Ｇ35，Ｇ45，Ｇ55，Ｇ65，Ｇ75  第５レンズ群
Ｇ16，Ｇ26，Ｇ36，Ｇ46，Ｇ56，Ｇ66，Ｇ76  第６レンズ群
Ｌ611，Ｌ752  正レンズ
Ｌ612，Ｌ751  負レンズ
ＩＭＧ  像面
ＳＴ  開口絞り
【図１】
2012155223.tif 000004
【図２】
2012155223.tif 000005
【図３】
2012155223.tif 000006
【図４】
2012155223.tif 000007
【図５】
2012155223.tif 000008
【図６】
2012155223.tif 000009
【図７】
2012155223.tif 000010
【図８】
2012155223.tif 000011
【図９】
2012155223.tif 000012
【図１０】
2012155223.tif 000013
【図１１】
2012155223.tif 000014
【図１２】
2012155223.tif 000015
【図１３】
2012155223.tif 000016
【図１４】
2012155223.tif 000017
【図１５】
2012155223.tif 000018
【図１６】
2012155223.tif 000019
【図１７】
2012155223.tif 000020
【図１８】
2012155223.tif 000021
【図１９】
2012155223.tif 000022
【図２０】
2012155223.tif 000023
【図２１】
2012155223.tif 000024